(57)【要約】【課題】左右の肩甲骨が前方に出ることを抑制することによって、ストレートネックを抑制することのできる姿勢維持機能付き衣類を提供すること。【解決手段】姿勢維持機能付き衣類１００は、衣類２００と、衣類２００よりも変形し難い難変形部材３００とを有している。また、難変形部材３００は、衣類２００の後身頃２１２に、着用時に両肩甲骨を跨ぐように設けられている。また、難変形部材３００は、衣類２００に対して着脱自在となっている。【選択図】図１
2014030675.tif 000002
【特許請求の範囲】
【請求項１】
衣類と、
前記衣類よりも変形し難い難変形部材と、を有し、
前記難変形部材は、前記衣類の後身頃に、着用時に両肩甲骨を跨ぐように設けられていることを特徴とする姿勢維持機能付き衣類。
【請求項２】
衣類と、
前記衣類よりも変形し難い難変形部材と、を有し、
前記難変形部材は、前記衣類の両肩部に、肩幅方向に沿って設けられていることを特徴とする姿勢維持機能付き衣類。
【請求項３】
前記難変形部材は、前記衣類に対して着脱自在である請求項１または２に記載の姿勢維持機能付き衣類。
【請求項４】
前記難変形部材は、超弾性合金で構成されている請求項１ないし３のいずれかに記載の姿勢維持機能付き衣類。
【発明の詳細な説明】
【技術分野】
【０００１】
本発明は、姿勢維持機能付き衣類に関するものである。
【背景技術】
【０００２】
パソコン作業等のデスクワーク時間、携帯電話（スマートフォンを含む）の使用時間等の増加から、うつむき姿勢（猫背の状態）を取る時間が増え、これに起因して、「ストレートネック」となる人が増えている。なお、ストレートネックとは、首がまっすぐに歪んだ状態、具体的には頚椎の生理的前湾角度が３０度以下の状態を言う。ストレートネックは、慢性的な頭痛、首の痛み、肩こり、鬱、視力低下の原因となると考えられており、問題視されている。
【０００３】
そのため、従来から、特許文献１のように、左右の肩甲骨を互いに引き寄せるようにして猫背を矯正する矯正具が広く開発されている。しかしながら、このような矯正具では着用時に常に左右の肩甲骨を強制的に引き寄せているため、着用者への負担が大きく、また、着用時に違和感があるという問題がある。
【先行技術文献】
【特許文献】
【０００４】
【特許文献１】特開２００６−３２０６４０号公報
【発明の概要】
【発明が解決しようとする課題】
【０００５】
本発明の目的は、左右の肩甲骨が前方に出ることを抑制することによって、ストレートネックを抑制することのできる姿勢維持機能付き衣類を提供することにある。
【課題を解決するための手段】
【０００６】
このような目的は、下記（１）〜（４）の本発明により達成される。
（１）  衣類と、
前記衣類よりも変形し難い難変形部材と、を有し、
前記難変形部材は、前記衣類の後身頃に、着用時に両肩甲骨を跨ぐように設けられていることを特徴とする姿勢維持機能付き衣類。
【０００７】
（２）  衣類と、
前記衣類よりも変形し難い難変形部材と、を有し、
前記難変形部材は、前記衣類の両肩部に、肩幅方向に沿って設けられていることを特徴とする姿勢維持機能付き衣類。
【０００８】
（３）  前記難変形部材は、前記衣類に対して着脱自在である上記（１）または（２）に記載の姿勢維持機能付き衣類。
【０００９】
（４）  前記難変形部材は、超弾性合金で構成されている上記（１）ないし（３）のいずれかに記載の姿勢維持機能付き衣類。
【発明の効果】
【００１０】
本発明によれば、左右の肩甲骨を跨いで、または、左右の肩部に沿って、難変形部が設けられているため、左右の肩甲骨が前に出てしまうのを抑制することができる。そのため、背中が丸くなり首が前に出た猫背となってしまうのを抑制することができ、さらには、猫背に起因してストレートネックとなってしまうのを抑制することができる。このような構成によれば、左右の肩甲骨を引き寄せるような引張力を使用しないため、着用者の負担および違和感を低減することができる。
【図面の簡単な説明】
【００１１】
【図１】本発明の第１実施形態に係る姿勢維持機能付き衣類を示す平面図（背面図）である。
【図２】本発明の第２実施形態に係る姿勢維持機能付き衣類を示す平面図（背面図）である。
【発明を実施するための形態】
【００１２】
以下、本発明の姿勢維持機能付き衣類の好適な実施形態について、添付図面を参照しつつ説明する。
【００１３】
＜第１実施形態＞
図１は、本発明の第１実施形態に係る姿勢維持機能付き衣類を示す平面図（背面図）である。
【００１４】
図１に示す姿勢維持機能付き衣類１００は、例えば、歯科医師が治療中に着用する白衣である。ただし、姿勢維持機能付き衣類１００としては、歯科治療用の白衣に限定されず、例えば、下着、Ｔシャツ、トレーナー、ジャンパー、制服、作業着等、左右の肩甲骨を覆う後身頃を有する衣類であれば、いかなるものであってもよい。
【００１５】
このような姿勢維持機能付き衣類１００は、衣類２００と、衣類２００に取り付けられた難変形部材３００とにより構成されている。
【００１６】
また、衣類２００は、身頃２１０と、身頃２１０の左右に設けられた袖２２０、２３０と、襟２４０とを有している。また、身頃２１０は、前身頃（図示せず）と、後身頃２１２と、後身頃２１２に設けられた収納部２１３とを有している。収納部２１３は、着用時にて着用者９００の左右の肩甲骨９１０、９２０を跨ぐようにして横方向に延び、この収納部２１３には難変形部材３００が収納されている。
【００１７】
このような衣類２００は、例えば、綿、麻等の天然繊維、ナイロン、ポリエステル、アクリル、トリアセテート、ポリウレタン等の合成繊維等からなる織物、編物などの生地から構成することができる。
【００１８】
難変形部材３００は、長尺状の板部材で構成されており、着用時にて着用者９００の左右の肩甲骨９１０、９２０を跨ぐようにして収納部２１３に収納されている。このような難変形部材３００は、硬質であって、衣類２００（後身頃２１２）よりも弾性変形し難い部材である。難変形部材３００の構成材料は、特に限定されず、例えば、鉄、銅、アルミ等の金属材料、プラスティック、木材、竹材等によって構成することができる。
【００１９】
収納部２１３には、開口２１３ａが設けられており、開口２１３ａを介して、難変形部材３００を衣類２００に着脱自在となっている。これにより、例えば、難変形部材３００を交換してサイズや硬さを変更することが可能となる。そのため、着用者の好みに応じて姿勢維持機能付き衣類１００をカスタマイズでき、利便性の高い姿勢維持機能付き衣類１００となる。また、難変形部材３００を取り除くことにより、通常の衣類として使用することも可能となる。なお、開口２１３ａは、必要に応じて設ければよく、省略してもよい。すなわち、難変形部材３００が着脱不可であってもよい。
【００２０】
姿勢維持機能付き衣類１００を着用すると、難変形部材３００が着用者９００の左右の肩甲骨９１０、９２０を跨ぐようにして両肩甲骨９１０、９２０上に位置する。そのため、難変形部材３００が突っ張りの役割を果たして、両肩（両肩甲骨９１０、９２０）が背骨に対して前に出てしまうのを抑制することができる。したがって、着用者９００が猫背となるのを抑制することができ、その結果、ストレートネックが抑制される。
【００２１】
特に、難変形部材３００は、両肩甲骨９１０、９２０の肩甲棘同士を跨ぐように位置するのが好ましい。肩甲棘は、肩甲骨の中でも後方に突出している部分であるため、難変形部材３００と当接し易い部分であり、上記効果をより効果的に発揮することができる。このような姿勢維持機能付き衣類１００によれば、従来のように、左右の肩甲骨９１０、９２０を引き寄せるような引張力を使用しないため、着用者９００の負担および違和感を低減することができる。
【００２２】
難変形部材３００の幅Ｗとしては、特に限定されないが、２〜６ｃｍ程度であるのが好ましい。このような幅とすることにより、肩が前に出るのを効果的に抑制しつつ、肩以外の部分の動きを円滑に行うことができる。
【００２３】
本実施形態では、難変形部材３００は、真っ直ぐな平板で構成されているが、難変形部材３００の形状は、これに限定されない。例えば、難変形部材３００は、その長手方向の中央部が両端部よりも前方に位置するように湾曲していてもよい。人間の正しい姿勢では、左右の肩甲骨９１０、９２０が背骨よりも後方に位置しているため、上述のように湾曲させることによって、難変形部材３００の長手方向の中央部を背中へ当て付けることができる。そのため、難変形部材３００のフィット感が向上し、また、難変形部材３００の中央部が支点として機能するため、上記効果をより効果的に発揮することができる。湾曲度合いは、左右の肩甲骨９１０、９２０と背骨の位置関係に倣った程度とするのが好ましい。
【００２４】
また、難変形部材３００を例えば、Ｎｉ−Ｔｉ合金、Ｃｕ−Ｚｎ合金等の形状記憶合金で構成するのも好ましい。この場合、難変形部材３００は、前述のように真っ直ぐに形状付けされているか、湾曲して形状付けされているかしている。また、難変形部材３００を構成する形状記憶合金の変態点は、人間の体温（例えば３０〜３７℃）程度であるのが好ましい。このような難変形部材３００は、例えば、洗濯、収納等によって変形しても、姿勢維持機能付き衣類１００を着用し、体温によって温まることで元の形状へ復帰する。そのため、上述したような難変形部材３００の効果を確実に発揮することができる。
【００２５】
＜第２実施形態＞
次に、本発明の衣類の第２実施形態について説明する。
図２は、本発明の第２実施形態に係る衣類を示す上面図である。
【００２６】
以下、第２実施形態の衣類について、前述した第１実施形態との相違点を中心に説明し、同様の事項については、その説明を省略する。
【００２７】
第２実施形態の衣類は、難変形部材の配置が異なること以外は、第１実施形態とほぼ同様である。
【００２８】
図２に示すように、本実施形態の姿勢維持機能付き衣類１００Ａでは、難変形部材３００が身頃２１０の両肩部分に設けられている。各難変形部材３００は、肩幅方向（首元から肩）に延在して設けられている。また、身頃２１０の両肩部分には収納部２１３が設けられ、この収納部２１３に難変形部材３００が収納されている。
【００２９】
このような構成によれば、難変形部材３００によって、首元と肩の位置ずれがある程度抑制されため、両肩甲骨９１０、９２０が背骨に対して前に出てしまうのを抑制することができる。そのため、着用者９００の猫背を抑制することができ、その結果、ストレートネックが抑制される。このような姿勢維持機能付き衣類１００も、従来のように、左右の肩甲骨９１０、９２０を引き寄せるような引張力を使用しないため、着用者９００の負担および違和感を低減することができる。
【００３０】
以上、図示の実施形態に基づいて本発明の姿勢維持機能付き衣類を説明したが、本発明は、これらに限定されるものでない。例えば、本発明の姿勢維持機能付き衣類では、各部の構成は、同様の機能を発揮する任意の構成のものに置換することができ、また、任意の構成を付加することもできる。また、前述の実施形態を適宜組み合わせてもよい。
【００３１】
また、前述した実施形態では、難変形部材が板状であったが、上述の機能を発揮することができる限り、難変形部材の形状については、特に限定されない。例えば、難変形部材は、線状（ワイヤー状）であってもよい。この場合には、ワイヤーの数は、１本でもよいし、２本以上の複数であってもよい。
【００３２】
また、前述した実施形態では、難変形部材は、収納部に収納されることにより衣類に装着されているが、これに限定されず、例えば、衣類の裏地と表地の間に難変形部材が固定されていてもよい。
【符号の説明】
【００３３】
１００、１００Ａ…姿勢維持機能付き衣類
２００…衣類
２１０…身頃
２１２…後身頃
２１３…収納部
２１３ａ…開口
２２０、２３０…袖
２４０…襟
３００…難変形部材
９００…着用者
９１０、９２０…肩甲骨
【図１】
2014030675.tif 000003
【図２】
2014030675.tif 000004